(57)【特許請求の範囲】
【請求項１】
主塔を支持する少なくとも１つの主橋脚と、前記主橋脚に対して橋軸方向の一端側に配置され、前記主橋脚と協働して前記主橋脚との間に側径間を形成する端橋脚と、前記主橋脚に対して前記側径間と相反する側に配置され、前記主橋脚と協働して前記主橋脚との間に前記側径間よりも支間長が長い中央径間を形成する中央側橋脚とを有する斜張橋に主桁を架設するための架設方法であって、
前記主橋脚と前記端橋脚との間に中間橋脚を設けるステップと、
前記中間橋脚に仮支柱を設けるステップと、
前記中間橋脚から橋軸方向の両方に張り出すように前記主桁の一部を構築し、前記中間橋脚から橋軸方向の両方に前記主桁を延伸するステップと、
前記中間橋脚から延伸された橋軸方向の両方の前記主桁と前記仮支柱との間に仮斜材を張り、当該仮斜材に前記主桁を支持させるステップと、
前記主桁を延伸するステップ及び前記仮斜材を張って前記主桁を支持させるステップを繰り返すことにより、複数の前記仮斜材に支持された前記主桁を前記中間橋脚から橋軸方向の両方に延伸し、前記側径間に架け渡すステップと
を含むことを特徴とする斜張橋の架設方法。
【請求項２】
前記側径間に架け渡された前記主桁の端部に連結して前記主橋脚から前記中央径間側に張り出すように前記主桁の一部を構築し、前記主橋脚から前記中央径間側に前記主桁を延伸するステップと、
前記主橋脚から前記中央径間側に延伸された前記主桁及び前記側径間に架け渡された前記主桁と前記主塔との間に斜材を張り、当該斜材に前記主桁を支持させるステップと、
前記斜材に支持された前記主桁を前記主橋脚から前記中央径間側に延伸し、前記中央径間に架け渡すステップと
を更に含むことを特徴とする請求項１に記載の斜張橋の架設方法。
【請求項３】
前記主桁を前記側径間に架け渡した後に前記仮斜材を撤去するステップを更に含むことを特徴とする請求項１又は請求項２に記載の斜張橋の架設方法。
【請求項４】
前記側径間から撤去した前記仮斜材を、前記側径間に架設した前記主桁に補強材として緊張状態で取り付けるステップを更に含むことを特徴とする請求項３に記載の斜張橋の架設方法。
【請求項５】
前記仮斜材を撤去した後に前記仮支柱を撤去するステップを更に含むことを特徴とする請求項３又は請求項４に記載の斜張橋の架設方法。
【請求項６】
前記仮支柱を撤去した後に前記中間橋脚を撤去するステップを更に含むことを特徴とする請求項５に記載の斜張橋の架設方法。
【発明の詳細な説明】
【技術分野】
【０００１】
本発明は、斜張橋に主桁を架設するための架設方法に関する。
【背景技術】
【０００２】
主塔から橋軸方向の両側に張った斜材により主桁を支持する斜張橋では、主塔が連続して２本以上建てられる場合、主塔を支持する主橋脚間の中央径間の主桁は橋軸方向の両方の主塔から張られた斜材により支持される。一方、主塔に対して橋軸方向の端側に形成される側径間の主桁は橋軸方向の一方の主塔から張られた斜材により支持される。そのため、一般的な斜張橋では、中央径間の支間長と側径間の支間長との比が２：１とされ、主塔から橋軸方向の両側に張られる斜材は概ね前後対称（側面視で左右対称）に張られる。即ち、同じ本数の斜材が前後で同じ傾斜角度をもって張られる。
【０００３】
一方、主塔が１本だけしか建てられない斜張橋では一般的に、主塔を挟む前後（側面視における左右）の側径間の支間長の比が１：１とされ、主塔から同じ本数の斜材が前後で同じ傾斜角度をもって張られる。これらのような等径間の支間長を有する斜張橋では、重量バランスを取りながら主橋脚から橋軸方向の両側に主桁を張り出してゆく片持ち張り出し工法により、中央径間及び側径間に主桁を架設することができる。
【０００４】
ところが、地形等の様々な理由により、側径間の支間長が中央径間の支間長に対して短い不等径間になる場合がある。即ち、主塔が２つ以上連続して建てられる場合に、側径間の支間長が中央径間の支間長に対して１／２以下になる場合や、主塔が１本だけしか建てられない場合に、主塔に対する橋軸方向の両側の径間長が不等長さになる場合（特許文献１の図２参照）である。なお、後者の場合は、支間長が短い方を側径間とみなし、支間長が長い方を中央径間とみなすことにより、側径間の支間長が中央径間の支間長に対してバランスの良い１倍よりも短い不等径間になっていると言える。
【０００５】
このような不等径間を有する斜張橋では、中央径間の主桁のたわみ及び応力変動を抑制するために側径間に中間橋脚を設けることや、主塔の前後で重量バランスが取れないために側径間の主桁を先行して架設することが一般的に行われている（例えば、特許文献２参照）。特許文献２に記載の架設方法では、側径間に所要数の本設橋脚や仮設橋脚を構築し、架設区間の端部に設けた製作ヤードで製作した先端ＰＣ桁ブロックの先端に鋼製の手延べ桁を取り付けて、先端ＰＣ桁ブロックを側径間に沿って本設橋脚及び架設橋脚上に押し出して架設する押し出し工法により、中央径間に先行して側径間に主桁を架設している。
【先行技術文献】
【特許文献】
【０００６】
【特許文献１】特公平７−２１１６５号公報
【特許文献２】特許第３１０４７７１号公報
【発明の概要】
【発明が解決しようとする課題】
【０００７】
しかしながら、特許文献２の架設方法では、側径間の支間長が長い場合に所要の数の本設橋脚や仮設橋脚を所望の位置に構築できないことがあり、このような場合には、先端ＰＣ桁ブロックの先端に手延べ桁が取り付けられていても、押し出し工法により側径間に主桁を架設できない場合がある。所要の数の本設橋脚や仮設橋脚の代わりに支保工を設置することも考えられるが、この場合も同様に、地形等の理由により支保工を設置できない場合がある。
【０００８】
本発明は、このような背景に鑑み、側径間の支間長が長くても、側径間に複数の中間橋脚を設けることなく、中央径間に先行して側径間に主桁を架設できる斜張橋の架設方法を提供することを課題とする。
【課題を解決するための手段】
【０００９】
このような課題を解決するために、本発明は、主塔（２）を支持する少なくとも１つの主橋脚（５）と、前記主橋脚に対して橋軸方向の一端側に配置され、前記主橋脚と協働して前記主橋脚との間に側径間（ＳＳ）を形成する端橋脚（６）と、前記主橋脚に対して前記側径間と相反する側に配置され、前記主橋脚と協働して前記主橋脚との間に前記側径間よりも支間長が長い中央径間（ＣＳ）を形成する中央側橋脚（５）とを有する斜張橋（１）に主桁（４）を架設するための架設方法であって、前記主橋脚と前記端橋脚との間に中間橋脚（７）を設けるステップ（図３（Ａ））と、前記中間橋脚に仮支柱（２１）を設けるステップ（図３（Ｂ））と、前記中間橋脚から橋軸方向の両方に張り出すように前記主桁の一部（８）を構築し、前記中間橋脚から橋軸方向の両方に前記主桁（４Ａ）を延伸するステップ（図３（Ｃ））と、前記中間橋脚から橋軸方向に延伸された両方の前記主桁（４Ａ）と前記仮支柱との間に仮斜材（２２）を張り、当該仮斜材に前記主桁（４Ａ）を支持させるステップ（図３（Ｄ））と、前記仮斜材により支持された前記主桁（４Ａ）を前記中間橋脚から橋軸方向の両方に延伸し、前記側径間に架け渡すステップ（図３（Ｅ）、（Ｆ））とを含む構成とする。
【００１０】
ここで、側径間とは、橋軸方向の一方のみに設けられた主塔から張られる斜材によって主桁が支持される径間を意味する。また、中央径間とは、側径間に対して橋軸方向に隣接する側径間よりも支間長が長い径間を意味し、主桁が橋軸方向の両方に設けられた主塔から張られる斜材によって支持される径間と、主桁が橋軸方向の一方のみに設けられた主塔から張られる斜材によって支持される径間とを含む。従って、中央径間の主桁が橋軸方向の両方に設けられた主塔から張られる斜材によって支持される場合には、中央側橋脚も主塔を支持する主橋脚である。一方、中央径間の主桁が橋軸方向の一方のみに設けられた主塔から張られる斜材によって支持される場合には、中央側橋脚は主橋脚に対して橋軸方向の他端側に配置される端橋脚である。なお、端橋脚は、斜張橋の端部に設けられることを意図しており、橋脚に限られず、橋台であってもよい。
【００１１】
この構成によれば、側径間の支間長が長くても、側径間に１つの中間橋脚を設けるだけで、中間橋脚から橋軸方向の両方に張り出す主桁を仮支柱及び仮斜材により支持しながら構築し、中央径間に先行して側径間に主桁を架設することができる。
【００１２】
また、上記の発明において、前記側径間に架け渡された前記主桁（４Ａ）の端部に連結して前記主橋脚から前記中央径間側に張り出すように前記主桁の一部（９）を構築し、前記主橋脚から前記中央径間側に前記主桁（４Ｂ）を延伸するステップ（図４（Ｈ））と、前記主橋脚から前記中央径間側に延伸された前記主桁（４Ｂ）及び前記側径間に架け渡された前記主桁（４Ａ）と前記主塔（２）との間に斜材（３）を張り、当該斜材に前記主桁（４Ａ、４Ｂ）を支持させるステップ（図４（Ｉ））と、前記斜材により支持された前記主桁（４Ｂ）を前記主橋脚から前記中央径間側に延伸し、前記中央径間に架け渡すステップ（図４（Ｊ）、図５（Ｋ））とを含む構成とする。
【００１３】
この構成によれば、中央径間側に張り出した主桁を斜材に支持させながら、主桁を中央径間に架け渡すことができる。
【００１４】
また、上記の発明において、前記主桁（４Ａ）を前記側径間に架け渡した後に前記仮斜材（２２）を撤去するステップ（図４（Ｇ）、図５（Ｌ））を更に含む構成とするとよい。
【００１５】
この構成によれば、構造計算上不要な仮斜材を撤去することで斜張橋の景観を良好にすることができる。
【００１６】
また、上記の発明において、撤去した前記仮斜材（２２）を、前記側径間に架設した前記主桁（４Ａ）に補強材（１５）として緊張状態で取り付けるステップ（図５（Ｍ））を更に含む構成とするとよい。
【００１７】
この構成によれば、補強材を仮斜材として利用するため、側径間に主桁を架設するために必要な資材を削減することができる。
【００１８】
また、上記の発明において、前記仮斜材（２２）を撤去した後に前記仮支柱（２１）を撤去するステップ（図５（Ｎ））を更に含む構成とするとよい。
【００１９】
この構成によれば、不要な仮支柱を撤去することで斜張橋の景観を更に良好にすることができる。
【００２０】
また、上記の発明において、前記仮支柱（２１）を撤去した後に前記中間橋脚（７）を撤去するステップ（図６（Ｏ））を更に含む構成とするとよい。
【００２１】
この構成によれば、側径間に中間橋脚が不要な場合に中間橋脚を撤去することで斜張橋の景観を更に良好にすることができる。
【発明の効果】
【００２２】
このように本発明によれば、側径間の支間長が長くても、側径間に複数の中間橋脚を設けることなく、中央径間に先行して側径間に主桁を架設できる斜張橋の架設方法を提供することができる。
【図面の簡単な説明】
【００２３】
【図１】実施形態に係る斜張橋の取付状態を示す斜視図
【図２】図１中のII−II断面図
【図３】図１に示す斜張橋の構築手順の説明図
【図４】図１に示す斜張橋の構築手順の説明図
【図５】図１に示す斜張橋の構築手順の説明図
【図６】他の実施形態に係る斜張橋の構築手順の説明図
【発明を実施するための形態】
【００２４】
以下、図面を参照して、本発明の実施形態に係る斜張橋１の架設方法について詳細に説明する。
【００２５】
まず、図１及び図２を参照して斜張橋１の構造について説明する。図１に示されるように、斜張橋１は、前後２つの主塔２を有しており、前後の主塔２との間に張られた斜材３により主桁４（４Ａ、４Ｂ）が支持される１つの中央径間ＣＳと、中央径間ＣＳの橋軸方向の前後両側であって斜張橋１の前後両端部に形成される２つの側径間ＳＳとを有している。中央径間ＣＳの支間長Ｌ１は、前後の側径間ＳＳの支間長Ｌ２、Ｌ３よりも大きく、左右の側径間ＳＳの支間長Ｌ２、Ｌ３は同一とされている（Ｌ２＝Ｌ３）。斜張橋１は、中央径間ＣＳの支間長Ｌ１と側径間ＳＳの支間長Ｌ２、Ｌ３との比（Ｌ１／Ｌ２、Ｌ１／Ｌ３）が２よりも大きくされた不等径間斜張橋である。
【００２６】
主塔２は、斜張橋１の橋軸方向の中間部に設けられた主橋脚５により支持されている。主塔２は、１本柱形、独立２本柱形、Ｈ形、Ａ形、逆Ｙ形等、どのような形状であってもよい。斜張橋１の橋軸方向の両端部には端橋脚６が設けられている。端橋脚６は橋台として構成されてもよい。また、側径間ＳＳのそれぞれの中間部、即ち端橋脚６と主橋脚５との間には、中間橋脚７が設けられている。中間橋脚７が設けられる位置は、端橋脚６と主橋脚５との中央であってよく、中央から一方に寄った位置であってもよい。主桁４は、前後両端の端橋脚６の間に、端橋脚６、中間橋脚７、主橋脚５に連続して架け渡され、斜材３を介して主塔２により支持される。
【００２７】
斜材３はケーブルにより構成されている。斜材３は、１つの主塔２に対して前後（側面視における左右）に同じ段数かつ同じ本数をもって設けられる。斜材３の配置（側面視における配置）は、ハープ形式、ファン形式、ラジアル形式、スター形式等、どのような形式であってもよい。また、斜材３の配置（橋軸方向視における配置）は、単列形式、複列形式、Ａ型形式のいずれであってもよい。本実施形態では、２列×５段の計１０本の斜材３がファン形式に主塔２の前後それぞれに配置されている。主塔２の前後で互いに対応する斜材３は同じ高さで主塔２に定着されている。上記の通り、中央径間ＣＳの支間長Ｌ１が側径間ＳＳの支間長Ｌ２、Ｌ３の２倍よりも長いため、中央径間ＣＳに張られる斜材３は、側径間ＳＳに張られる対応する斜材３に比べ、鉛直線に対する傾斜角度が大きく、長さが長くなっている。
【００２８】
主塔２に対して中央径間ＣＳ側の主桁４の張り出し長さ（中央径間ＣＳの支間長Ｌ１の１／２）が側径間ＳＳ側の主桁４の張り出し長さ（側径間ＳＳの支間長Ｌ２、Ｌ３）よりも長いと、主塔２の前後における主桁４の重量バランスが崩れる。そのため、側径間ＳＳの主桁４はプレストレストコンクリート製（ＰＣ）とされ、中央径間ＣＳの主桁４は鋼製とされている。また、側径間ＳＳの主桁４が浮き上がらないように、端橋脚６及び中間橋脚７と主桁４との間には図示しない浮き上がり防止策が施され、端橋脚６及び中間橋脚７がアンカーとして機能するようになっている。以下、側径間ＳＳの主桁４をＰＣ桁４Ａと称し、中央径間ＣＳの主桁４を鋼桁４Ｂと称する。
【００２９】
ＰＣ桁４Ａは、プレキャスト（ＰＣａ）コンクリートにより構成されてもよく、現場打ちコンクリートにより構成されてもよい。本実施形態では、ＰＣ桁４Ａは、橋軸方向に分割された複数のＰＣａコンクリート桁ブロック８（図３参照）により構成されている。複数のＰＣａコンクリート桁ブロック８が連続配置され、プレストレスの導入によって繋ぎ合わされることによりＰＣ桁４Ａが構成される。鋼桁４Ｂは、橋軸方向に分割された複数の鋼製桁ブロック９（図４参照）を繋ぎ合わせることにより形成される。図示省略するが、鋼桁４Ｂは鋼床版箱桁とされている。
【００３０】
図２に示されるように、ＰＣ桁４Ａは、３つの箱形断面部が連続する多重箱桁とされている。ＰＣ桁４Ａは、上床版１１、下床版１２、及び上床版１１と下床版１２とを連結する４つのウェブ１３とを有しており、３つの内部空間１４を形成している。複数のＰＣａコンクリート桁ブロック８を繋ぎ合わせるための図示しないＰＣケーブルは、上床版１１の内部に配置される。一方、下床版１２の内部には、ＰＣ桁４Ａの曲げ耐力を補強するための補強材１５が橋軸方向に沿って設けられる。図２では、補強材１５の定着端部が示されているため、補強材１５は下床版１２の上方に配置されている。補強材１５は、ＰＣケーブルであり、ＰＣ桁４Ａの架設後にポストテンション方式で緊張されることによって下床版１２にプレストレスを導入する。
【００３１】
ＰＣ桁４Ａの左右の端部には、斜材３を定着させるための斜材定着突起１６が側方に突出するように一体に形成されている。左右方向中央側の２つのウェブ１３の外側面には、後述する仮斜材２２を定着させるための仮斜材定着突起１７が端部の内部空間１４に突出するように一体に形成されている。つまり、幅方向において互いに異なる位置に斜材定着突起１６及び仮斜材定着突起１７が設けられており、斜材３と仮斜材２２とが干渉しないようになっている。また、下床版１２の上面には橋軸方向の適宜な位置に、補強材１５を定着させるための補強材定着突起１８が、中央側の２つのウェブ１３の両側面に沿って上方に突出するように一体形成されている。
【００３２】
次に、このような構成を有する斜張橋１の構築方向について、図３〜図５を参照しながら説明する。なお、これらの図には、斜張橋１の左半分のみが示されている。
【００３３】
図３（Ａ）に示されるように、所定の位置に主橋脚５及び端橋脚６を構築すると共に、中間橋脚７を主橋脚５と端橋脚６との間の所定の位置に構築する。次に、図３（Ｂ）に示されるように、中間橋脚７に支持されるように仮支柱２１を構築する。仮支柱２１は、側径間ＳＳのＰＣ桁４Ａを架設するために用いられるものである。仮支柱２１の構築後、図３（Ｃ）に示されるように、中間橋脚７から橋軸方向の両方に張り出すようにＰＣａコンクリート桁ブロック８を中間橋脚７上に設置し、中間橋脚７から橋軸方向の両方にＰＣ桁４Ａを延伸する。設置するＰＣａコンクリート桁ブロック８の数は、単数に限られるものではなく、ブロック長に応じて複数のＰＣａコンクリート桁ブロック８を連結してもよい。その後、図３（Ｄ）に示されるように、中間橋脚７から延伸された橋軸方向の両方のＰＣ桁４Ａと仮支柱２１との間に下から１段目の仮斜材２２を張り、仮斜材２２にＰＣ桁４Ａの張り出し部分の荷重を支持させる。仮斜材２２にはケーブルが用いられる。
【００３４】
仮斜材２２にＰＣ桁４Ａを支持させた状態で、図３（Ｅ）に示されるように、設置済みのＰＣ桁４Ａの橋軸方向の両端に単数又は複数のＰＣａコンクリート桁ブロック８を連結し、ＰＣ桁４Ａを中間橋脚７から橋軸方向の両方に更に張り出すように延伸すると共に、ＰＣ桁４Ａの延伸された部分と仮支柱２１との間に次の段の仮斜材２２を張る。この作業を繰り返すことにより、図３（Ｆ）に示されるように、側径間ＳＳ、即ち端橋脚６と主橋脚５との間にＰＣ桁４Ａを架け渡す。本実施形態では、４段の仮斜材２２を設け、これらの仮斜材２２にＰＣ桁４Ａの張り出し部分の荷重を支持させることで、端橋脚６及び主橋脚５までＰＣ桁４Ａを延伸させている。
【００３５】
図３（Ａ）に示される主橋脚５の構築後、図３（Ｂ）〜（Ｆ）のＰＣ桁４Ａの延伸作業と並行して、或いは側径間ＳＳにＰＣ桁４Ａを架け渡した後に、図４（Ｇ）に示されるように、主橋脚５の上に主塔２を構築する。なお、側径間ＳＳにＰＣ桁４Ａを架け渡した後には、ＰＣ桁４Ａが中間橋脚７だけでなく端橋脚６及び主橋脚５によっても支持されるため、仮斜材２２に支持させるべき荷重は小さくなる。そのため、不要な仮斜材２２は適宜撤去してもよい。本実施形態では、側径間ＳＳにＰＣ桁４Ａを架け渡した後に一番上の４段目の仮斜材２２を撤去している。
【００３６】
主橋脚５の構築後、図４（Ｈ）に示されるように、主橋脚５から中央径間ＣＳ側に張り出すように鋼製桁ブロック９をＰＣ桁４Ａの端部に連結し、主橋脚５から中央径間ＣＳ側に鋼桁４Ｂを延伸する。連結する鋼製桁ブロック９の数は、単数に限られるものではなく、ブロック長に応じて複数であってもよい。その後、図４（Ｉ）に示されるように、主橋脚５から中央径間ＣＳ側に延伸された鋼桁４Ｂ及び側径間ＳＳに架設済みのＰＣ桁４Ａと主塔２との間に下から１段目の斜材３を張り、斜材３に鋼桁４Ｂの張り出し部分の荷重を支持させる。
【００３７】
斜材３に鋼桁４Ｂを支持させた状態で、図４（Ｊ）に示されるように、設置済みの鋼桁４Ｂの橋軸方向の一端に鋼製桁ブロック９を連結し、鋼桁４Ｂを主橋脚５から中央径間ＣＳ側に更に張り出すように延伸すると共に、鋼桁４Ｂの延伸された部分及び架設済みのＰＣ桁４Ａと主塔２との間に次の段の斜材３を張る。この作業を繰り返すことにより、図５（Ｊ）に示されるように、中央径間ＣＳ、即ち主橋脚５と図示されない右側の主橋脚５との間に鋼桁４Ｂを架け渡す。
【００３８】
なお、本実施形態に係る斜張橋１のように、図示された左側の主橋脚５に対して側径間ＳＳと相反する側に配置されて中央径間ＣＳを形成する中央側橋脚が右側の主塔２（図１）を支持する主橋脚５である場合には、左側の主橋脚５から中央径間ＣＳ側（右方）に鋼桁４Ｂを延伸させる作業（図４（Ｈ）〜（Ｊ））と並行して、右側の主橋脚５から中央径間ＣＳ側（左方）に鋼桁４Ｂを延伸させる作業を行う。そして、左右の主橋脚５、５から延伸される鋼桁４Ｂ同士を中央径間ＣＳの中央で連結することにより、鋼桁４Ｂを中央径間ＣＳに架け渡す。
【００３９】
一方、図４に示された主橋脚５に対して側径間ＳＳと相反する側に配置されて中央径間ＣＳを形成する中央側橋脚が右側の端橋脚６である他の実施形態では、図４（Ｊ）に示される主橋脚５から中央径間ＣＳ側（右方）に鋼桁４Ｂを延伸させる作業を繰り返すことにより、主橋脚５から延伸される鋼桁４Ｂを右側の端橋脚６に直接架け渡す。
【００４０】
中央径間ＣＳに鋼桁４Ｂを架け渡した後、図５（Ｌ）に示されるように、全ての仮斜材２２を撤去する。ＰＣ桁４Ａは本設の斜材３によって支持されており、仮斜材２２により支持される必要がなくなったためである。
【００４１】
その後、図５（Ｍ）に示されるように、ＰＣ桁４Ａに補強材１５を設置する。具体的には、ＰＣ桁４Ａの内部又は外部の所定の位置（本実施形態では下床版１２の内部）に補強材１５を橋軸方向に沿って配置し、補強材１５の一端を補強材定着突起１８（図２）に定着させた後に、補強材１５の他端を補強材定着突起１８に設けたジャッキにより緊張して補強材定着突起１８に定着させる。これにより、ＰＣ桁４Ａにプレストレスが導入され、ＰＣ桁４Ａが補強される。
【００４２】
この際、図４（Ｇ）又は図５（Ｌ）に示される作業で撤去した仮斜材２２を補強材１５に利用する。図４（Ｇ）における作業で撤去した仮斜材２２のみを補強材１５に利用する場合には、図５（Ｍ）に示される補強材１５の設置作業は、中央径間ＣＳに鋼桁４Ｂを架設する作業（図４（Ｈ）〜図５（Ｋ））よりも前に行ってもよく、当該作業と並行して行ってもよい。
【００４３】
また、全ての仮斜材２２を撤去した後には、図５（Ｎ）に示されるように、仮支柱２１を撤去する。図５（Ｍ）に示される補強材１５の取付作業と、図５（Ｎ）に示される仮支柱２１の撤去作業とは、どちらが先に行われてもよく、並行して行われてもよい。以上の作業を行うことにより、実施形態に係る斜張橋１が構築される。
【００４４】
以上のような手順で構築される本実施形態の斜張橋１では、図３（Ａ）（Ｂ）に示されるように、主橋脚５と端橋脚６との間に中間橋脚７を設けると共に中間橋脚７に仮支柱２１を設け、図３（Ｃ）、（Ｄ）に示されるように、中間橋脚７から橋軸方向の両方に片持ち張り出し工法により延伸したＰＣ桁４Ａと仮支柱２１との間に仮斜材２２を張り、図３（Ｅ）、（Ｆ）に示されるように、仮斜材２２にＰＣ桁４Ａを支持させながらＰＣ桁４Ａを側径間ＳＳに架け渡すことにより、側径間ＳＳの支間長Ｌ２、Ｌ３が長くても中央径間ＣＳに先行して側径間ＳＳにＰＣ桁４Ａを架設することが可能である。
【００４５】
側径間ＳＳにＰＣ桁４Ａを架設した後は、図４（Ｈ）、（Ｉ）に示されるように、主橋脚５から中央径間ＣＳ側に片持ち張り出し工法により延伸した鋼桁４Ｂ及び架設済みのＰＣ桁４Ａと主塔２との間に斜材３を張り、図４（Ｊ）、図５（Ｋ）に示されるように、斜材３に鋼桁４Ｂを支持させながら鋼桁４Ｂを中央径間ＣＳに架け渡すことができる。
【００４６】
また、ＰＣ桁４Ａを側径間ＳＳに架け渡した後に、図５（Ｌ）に示されるように、構造計算上不要な仮斜材２２を撤去することにより、斜張橋１の景観が良好になる。
【００４７】
本実施形態では、図５（Ｌ）で撤去した仮斜材２２を、図５（Ｍ）に示されるように、側径間ＳＳに架設したＰＣ桁４Ａに補強材１５として緊張状態で取り付けている。このように補強材１５を仮斜材２２として利用するため、側径間ＳＳにＰＣ桁４Ａを架設するために必要な資材が削減される。
【００４８】
また、本実施形態では、図５（Ｌ）で仮斜材２２を撤去した後に、図５（Ｎ）に示されるように、仮支柱２１を撤去することにより、斜張橋１の景観が更に良好になる。
【００４９】
なお、本実施形態では、図１に示されるように中間橋脚７が本設として用いられるため、図３〜図５に示された手順で斜張橋１の構築が完了するが、本発明に係る斜張橋１の架設方法は、中間橋脚７が本設として用いられない場合にも適用可能である。この場合には、中間橋脚７を仮設として設け、図５（Ｎ）において仮支柱２１を撤去した後に、図６（Ｏ）に示されるように、中間橋脚７の少なくとも上部を撤去する。これにより、側径間ＳＳに中間橋脚７が不要な場合に中間橋脚７を撤去することで斜張橋１の景観を更に良好にすることができる。
【００５０】
以上で具体的実施形態の説明を終えるが、本発明は上記実施形態に限定されることなく幅広く変形実施することができる。例えば、上記実施形態では、図１に示されるように２本の主塔２が設けられ、斜張橋１が１つの中央径間ＣＳと両端の側径間ＳＳとを有しているが、１本の主塔２が設けられ、斜張橋１が１つの側径間ＳＳとこれよりも長い１つの中央径間ＣＳを有する形態や、３本以上の主塔２が設けられ、斜張橋１が２つ以上の中央径間ＣＳと両端の側径間ＳＳとを有する形態であってもよい。また、上記実施形態では、側径間ＳＳに架設される主桁４がＰＣ桁４Ａとされ、中央径間ＣＳに架設される主桁４が鋼桁４Ｂとされているが、共にＰＣ桁４Ａとされる形態や、共に鋼桁４Ｂとされる形態であってもよい。また、上記実施形態では、補強材１５が下床版１２の内部に配置される内ケーブル方式で設けられているが、外ケーブル方式で設けられてもよい。この他、主桁４の断面形状や、各部材の具体的構成、配置、数量、素材など、本発明の趣旨を逸脱しない範囲であれば適宜変更可能である。また、上記実施形態に示した各構成要素は必ずしも全てが必須ではなく、適宜選択することができる。
【符号の説明】
【００５１】
１      斜張橋
２      主塔
３      斜材
４      主桁
４Ａ    ＰＣ桁
４Ｂ    鋼桁
５      主橋脚（中央側橋脚）
６      端橋脚
７      中間橋脚
１５    補強材
２１    仮支柱
２２    仮斜材
ＣＳ    中央径間
ＳＳ    側径間
Ｌ１    中央径間ＣＳの支間長
Ｌ２、Ｌ３    前後の側径間ＳＳの支間長
【図１】
0006434885.tif 000002
【図２】
0006434885.tif 000003
【図３】
0006434885.tif 000004
【図４】
0006434885.tif 000005
【図５】
0006434885.tif 000006
【図６】
0006434885.tif 000007